(57)【要約】【課題】包装用ラップフィルムの収納箱に収納可能で、包装作業時に、引っ張りだした包装用ラップフィルムに皺がよらず、奇麗に切断することができる、扱い易い取出板と取出板を収納できる収納箱とを提供する。【解決手段】  包装用ラップフィルム２と同じ横幅１９で、長方形の薄い取出板１の片面に粘着材８０を付ける。包装用ラップフィルム２が入った収納箱本体６の前壁面５０と包装用ラップフィルム２の取出先端部との間に、支持板７〜１２で隙間を作る。収納箱の上蓋４に設けた蛇腹部５を収納箱の前方に押し広げ、刃３のついた上蓋４をズラして、隙間に取出板１を挿入する。取出板１で包装用ラップフィルム２を必要量引っ張りだして切断し食品を包装したのち、前記取出板１を取出先端部の隙間に再び収納する。【選択図】図１
2010006468.tif 000002
【特許請求の範囲】
【請求項１】
包装用ラップフィルムを出し入れする上向き開口を覆う上蓋を備えている収納箱本体に装備される包装用ラップフィルムの取出具であって、
前記包装用ラップフィルムの横幅と同幅又は略同幅の横幅で、かつ、前記上蓋における前記収納箱本体の前壁面を覆う前面部の縦幅より長い縦幅を有し、包装する為に引き出される収納ラップフィルムの取出先端部を接着固定する粘着層を備えた包装用ラップフィルムの取出具。
【請求項２】
包装用ラップフィルムを出し入れする上向き開口を覆う上蓋を備えている収納箱本体に装備される包装用ラップフィルムの取出具であって、
前記包装用ラップフィルムの横幅と同幅又は略同幅の横幅で、かつ、前記収納箱本体の前壁面の縦幅より長い縦幅を有し、包装する為に引き出される収納ラップフィルムの取出先端部を接着固定する粘着層を備えた包装用ラップフィルムの取出具。
【請求項３】
請求項１又は２に記載の包装用ラップフィルムの取出具と、上蓋と包装用ラップフィルムを収納する収納箱本体とを備えた収納箱とで構成される包装用具。
【請求項４】
前記収納箱に、前記上蓋における前記前壁面に被さる前面部が前記前壁面に対して離間する方向に伸縮変位する伸縮部を形成してある請求項３記載の包装用具。
【請求項５】
前記収納箱本体から引き出される包装用ラップフィルムの取出先端部と前記前壁面との間に位置し、前記取出具を差し込み可能な懐空間を有する突出部を、前記前壁面から突出する状態で形成してある請求項３又は４記載の包装用具。
【請求項６】
前記収納箱に、前記収納箱の前壁面と前記上蓋における前記収納箱の前壁面に被さる前面部との間に前記取出具を収納可能な部分を形成している請求項３から５のうちのいずれか一項に記載の包装具。
【発明の詳細な説明】
【技術分野】
【０００１】
本発明は、食品等を包装用ラップフィルムで包装する際に、必要なフィルム量を取り出す場合に利用される包装用ラップフィルムの取出具及び、その包装用ラップフィルムを収納する収納箱とを備えた包装具に関する。
【背景技術】
【０００２】
包装用ラップフィルムで食品等を包装する場合に、指で包装用ラップフィルムの取出先端部を摘んで引き出していたが、横幅の広い包装用ラップフィルムの中間位置を摘んで引っ張ることしかできないので、皺よりや捻れ等が生じて、旨く食品を包むことができなかった。
そこで、引き出す際に皺より等を発生させ難い取出具として、包装用ラップフィルムの横幅に略等しい横幅を有する板に粘着層を設けたものがあった。この考案では、包装用ラップフィルムの取出先端部を粘着層部分に取り付けて、この板とともに引っ張り操作することによって、包装用ラップフィルムを広げた状態で引っ張ることができるものである（特許文献１）。
【０００３】
【特許文献１】実用新案公開平０７−２８８４０
【発明の開示】
【発明が解決しようとする課題】
【０００４】
上記構成のものでは、板の縦幅が包装用ラップフィルムを収納した収納箱の前壁面の立て幅より短いものである。
したがって、この板に包装用ラップフィルムの取出先端部を装着する際に、十分に上蓋を持ち上げ、その取出先端部をある程度引き出した状態でなければ、装着することが難しい面がある。
また、この板を使用した後、どこに仕舞うかといった面でも十分に対処できない面がある。
【０００５】
本発明の目的は、上記課題を解決し、包装用ラップフィルムを取出す際の取出し操作が容易で、かつ、仕舞い処理にも困らない包装用ラップフィルムの取出具及び包装具を提供する点にある。
【課題を解決するための手段】
【０００６】
〔構成〕
本願発明にかかる第１の特徴構成は、包装用ラップフィルムを出し入れする上向き開口を覆う上蓋を備えている収納箱本体に装備される包装用ラップフィルムの取出具であって、
前記包装用ラップフィルムの横幅と同幅又は略同幅の横幅で、かつ、前記上蓋における前記収納箱本体の前壁面を覆う前面部の縦幅より長い縦幅を有し、包装する為に引き出される収納ラップフィルムの取出先端部を接着固定する粘着層を備えた点にあり、その作用効果は次の通りである。
【０００７】
〔作用〕
包装用ラップフィルムの取出先端部を、収納箱の前壁面と上蓋における前記前壁面に被さる前面部との間に垂れ下げる。その垂れ下げられた取出先端部と収納箱の前壁面との間に、粘着層を前記包装用ラップフィルムの取出先端部に向けた状態で、差し入れる。
差し入れた状態で取出先端部と粘着層を密着させる。この場合に上蓋の前面部における前記粘着層に対応する部分を指等で押し付けることによって、取出先端部と粘着層との密着度合いを高めることができる。
包装用ラップフィルムの取出先端部を取出具に接着した状態で、上蓋の前面部の下端より下方に覗いた取出具の下端部分を手指で摘む。そして、上蓋をやや持ち上げて取出具とともに包装用ラップフィルムを引き出していく。十分引き出した状態で、収納本体と上蓋とに相対的な捻りを加えて包装用ラップフィルムを切断する。
【０００８】
〔効果〕
このように取出具を使用することによって、包装用ラップフィルムを皺よりなく、かつ、捻れ等を生ずることなく引き出すことができ、それ故に食品等を包装する際に、十分広げた状態で包み込むことが容易に行える。
しかも、取出具の縦幅が収納箱の前壁面に被さっている上蓋の前面部の縦幅より長くなっているので、取出具における上蓋の前面部より下方において露出する下端部分を容易に掴むことができ、包装用ラップフィルムの取出し状態を容易に行うことができる。
【０００９】
〔構成〕
本願発明にかかる第２の特徴構成は、包装用ラップフィルムを出し入れする上向き開口を覆う上蓋を備えている収納箱本体に装備される包装用ラップフィルムの取出具であって、
前記包装用ラップフィルムの横幅と同幅又は略同幅の横幅で、かつ、前記上蓋における前記収納箱本体の前壁面を覆う前面部の縦幅より長い縦幅を有し、包装する為に引き出される収納ラップフィルムの取出先端部を接着固定する粘着層を備えた点にあり、その作用効果は次の通りである。
【００１０】
〔作用〕
包装用ラップフィルムの取出先端部を、収納箱の前壁面と上蓋における前記前壁面に被さる前面部との間に垂れ下げる。その垂れ下げられた取出先端部と収納箱の前壁面との間に、粘着層を前記包装用ラップフィルムの取出先端部に向けた状態で、差し入れる。
差し入れた状態で取出先端部と粘着層を密着させる。この場合に上蓋の前面部における前記粘着層に対応する部分を指等で押し付けることによって、取出先端部と粘着層との密着度合いを高めることができる。
包装用ラップフィルムの取出先端部を取出具に接着した状態で、収納箱の前壁面の下端より下方に覗いた取出具の下端部分を手指で摘む。そして、取出具とともに包装用ラップフィルムを引き出していく。十分引き出した状態で、収納本体と上蓋とに相対的な捻りを加えて包装用ラップフィルムを切断する。
【００１１】
〔効果〕
このように取出具を使用することによって、包装用ラップフィルムを皺よりなく、かつ、捻れ等を生ずることなく引き出すことができ、それ故に食品等を包装する際に、十分広げた状態で包み込むことが容易に行える。
しかも、取出具の縦幅が収納箱の前壁面の縦幅より長くなっているので、上蓋を持ち上げることなく、取出具における前壁面より下方において露出する下端部分を容易に掴むことができ、包装用ラップフィルムの取出し状態を容易に行うことができる。
【００１２】
〔構成〕
本願発明にかかる第３の特徴構成は、請求項１又は２に記載の包装用ラップフィルムの取出具と、上蓋と包装用ラップフィルムを収納する収納箱本体とを備えた収納箱とで構成される点にあり、その作用効果は次の通りである。
【００１３】
〔作用効果〕
このように包装用ラップフィルムの取出具と、包装用ラップフィルムの収納箱とをセットで取り扱うことができるので、両者が別個に構成されている場合に比べて包装作業が容易に行える。
【００１４】
〔構成〕
本願発明にかかる第４の特徴構成は、前記収納箱に、前記上蓋における前記前壁面に被さる前面部が前記前壁面に対して離間する方向に伸縮変位する伸縮部を形成してある点にあり、その作用効果は次の通りである。
【００１５】
〔作用〕
包装用ラップフィルムの取出先端部を、収納箱の前壁面と上蓋における前記前壁面に被さる前面部との間に垂れ下げる。その垂れ下げられた取出先端部と収納箱の前壁面との間に、粘着層を前記包装用ラップフィルムの取出先端部に向けた状態で、取出具を差し入れる。
この差し入れる際に、伸縮部を押して上蓋を収納箱の前壁面側に押し出すと、上蓋の前面部が収納箱の前壁面から離間し隙間ができる。
この隙間によって、取出具をその隙間内に差し込み易くなり、取出具を差し込んだ状態で伸縮部を元に戻し操作をすれば（或は押し操作を解除すれば）、取出具が上蓋の前面部と前壁面とで挟まれて少し差し込み状態が保持される。
【００１６】
〔効果〕
取出具に包装用ラップフィルムの取出先端部を取り付ける際に、上蓋を変位させることができるので、取出具をその間隙部分に差し込み易く、取出具に包装用ラップフィルムの取出先端部を取り付ける操作を容易迅速に行うことができる。
【００１７】
〔構成〕
本願発明にかかる第５の特徴構成は、前記収納箱本体から引き出される包装用ラップフィルムの取出先端部と前記前壁面との間に位置し、前記取出具を差し込み可能な懐空間を有する突出部を、前記前壁面から突出する状態で形成してある点にあり、その作用効果は次の通りである。
【００１８】
〔作用〕
包装用ラップフィルムの取出先端部を、収納箱の前壁面から突出された突出部と上蓋における前記前壁面に被さる前面部との間に垂れ下げる。収納箱の前壁面から突出された突出部の懐空間に、粘着層を前記包装用ラップフィルムの取出先端部に向けた状態で、取出具を差し入れる。
この差し入れる際に、この懐空間に取出具を差し入れるだけでよく、取出具を垂れ下げられた取出先端部と収納箱の前壁面との間に差し込むのに、取出先端部を持ち上げる等の操作を必要としない。
【００１９】
〔効果〕
このように、収納箱の前壁面に突出部を設けるだけの改善を行うだけで、取出具の差し込み操作を包装用ラップフィルムの取出先端部を持ち上げることなく楽に行うことができる。
【００２０】
〔構成〕
本願発明にかかる第６の特徴構成は、前記収納箱に、前記収納箱の前壁面と前記上蓋における前記収納箱の前壁面に被さる前面部との間に前記取出具を収納可能な部分を形成している点にあり、その作用効果は次の通りである。
【００２１】
〔作用〕
つまり、包装用ラップフィルムの取出先端部を、収納箱の前壁面と上蓋における前記前壁面に被さる前面部との間に垂れ下げる。その垂れ下げられた取出先端部と収納箱の前壁面との間に、粘着層を前記包装用ラップフィルムの取出先端部に向けた状態で、差し入れる。請求項５に記載するように突出部が設けられている場合には前記した懐空間内に差し入れ、取出具の粘着層と包装用ラップフィルムの取出先端部を接着することによって、その位置で取出具は保持される。
【００２２】
〔効果〕
このように、取出具を収納箱の備品として付設することができ、取出具の仕舞い処理を支障なく行うことができ、かつ、取出具を使用する際にも仕舞い場所まで出向く必要がなく、探し回る必要もない。
【発明を実施するための最良の形態】
【００２３】
取出具１について説明する。図１〜３に示すように、取出具１は、長方形の板であり、包装用ラップフィルム２の横幅より僅かに横幅１９を広く採っており、後記する収納箱の前壁面５０の縦幅より僅かに長い縦幅１８を採っている。
【００２４】
取出具１の片面には、粘着層８０が設けてあり、粘着層８０に塗布される粘着材としては、手指の力で比較的剥がれ易いものがよい。ただし、包装用ラップフィルム２を接着して引き出すだけの接着力は必要である。粘着層８０は後記する突出部７〜１１と干渉しないように、複数箇所に分割塗布されている。
【００２５】
包装用ラップフィルム２を収納する収納箱について説明する。収納箱は有底矩形で上向きに開口する収納箱本体６と収納箱本体６の後壁上端に揺動自在に取り付けてあり開口を覆う上蓋４とで構成してある。
上蓋４は、前記した開口を覆う上面部と、上面部の前端から屈曲されて立ち下げられている前面部と、上面部と前面部との横側方に位置する両側面部とで構成してある。前面部の下端位置に、収納箱から引き出した包装用ラップフィルム２を裁断する刃３が取り付けてある。
ここに、図２中の符号１５、１６は包装用ラップフィルムロール１４の飛び出し防止具である。
【００２６】
図１に示すように、上蓋４に、その上面部とその上面部を揺動可能に支持する、収納箱本体６の後壁面との接続位置に、その上面部と一体で前面部が前壁面５０に対して離間する方向に伸縮変位する伸縮部５を形成してある。伸縮部５は、蛇腹で形成してあり、蛇腹部分を前方に押しやるように操作することによって、上蓋４全体を前方に移動させることができ、上壁４の前面部と収納箱本体６の前壁面５０との間に間隙を形成することができる。
【００２７】
前壁面５０に設ける突出部について説明する。突出部は、図４に示すように、板材を折り曲げ加工した短冊状の支持板７〜１２を、前壁面５０の複数箇所に係止することによって構成される。左右両側に位置する支持板７、１１は、収納箱本体６の前壁面５０に沿う台形状の前辺部と、収納箱本体６の前壁面５０の上端に引っ掛け係止される上辺部と、前壁面５０の背面側に位置する背辺部とでなる。上辺部は前壁面５０より前後幅が広くなっており、支持板７を前壁面５０に係止した状態で前壁面５０と前辺部との間に懐空間が形成される。
【００２８】
支持板７、１１の間に係止される支持板８、９、１０、１２は、前辺部と上辺部と背辺部とを折り曲げて形成されている点では、支持板７、１１と同様の形状を呈するが、横幅が狭く前辺部から背辺部に亘って略一定幅を呈している。中央に位置する支持板１２は前辺部の縦長さが他のものより短くなっている。
上辺部は前壁面５０より前後幅が広くなっており、支持板７〜１２を前壁面５０に係止した状態で前壁面５０と前辺部との間に懐空間が形成され、その懐空間に取出具１を下方から差し込み可能に構成してある。
【００２９】
以上のような構成により、包装用ラップフィルム２を取出す操作を説明する。
（１）  図２に示すように、上蓋４を開放した状態で、包装用ラップフィルム２を取出し、取出先端部を収納箱本体６の前壁面５０に装着した支持板７〜１２を覆うように被せる。
（２）  次に、図２に示すように、支持板７〜１２の懐空間内に取出具１を差し込む。取出具１は、粘着層８０を手前側にした状態で差し込む。
（３）  取出具１と包装用ラップフィルム２の取出先端部を、覆うように上蓋４を被せる。
（４）  取出具１の粘着層８０と包装用ラップフィルム２の取出先端部を、図１で示すように、上蓋４の前面部の中間領域２１を押さえることによって、接着する。
（５）  そして、上蓋４をやや持ち上げながら取出具１を水平に引き操作して、包装用ラップフィルム２の取出先端部を引き出して行く。包装用ラップフィルム２を引き出した状態で、上蓋４を持ち上げていた状態を解消して元の閉塞状態に戻し、包装用ラップフィルム２の取出先端部とともに取出具１を上下向きに折り返す。
（６）  この状態で包装用ラップフィルム２に十分な張力を掛けながら、更に引っ張り操作して必要量だけ引き出す。
（７）  刃３の中央部を親指で押さえ、収納箱本体６を持った手を捻って、刃３で包装用ラップフィルム２を切り、食品等を包装した後に、包装用ラップフィルム２から取出具１を離す。
【００３０】
〔実施例〕
（イ）  （取出具１について）
一般に家庭で使われる包装用ラップフィルム２の幅は３０cmであるので、縦幅３．５cmで、横幅３０．５cm位の耐水性処理を施した適度な強度を持ち厚さ１〜２mmの紙、又は適度な強度を持った厚さ１mm位のポリプロピレン等の合成樹脂板を使用して、取出具１を形成する。
（ロ）  取出具１としては、図１４に示すように、収納箱本体６の前壁面５０の下端より突出する取出し板１０１であってもよい。このように縦幅を５cm位にすると、上蓋４を持ち上げることなく、取出し板１０１の下端部を掴んで引き出し操作が容易に行える。
【００３１】
（ハ）  （突出部：支持板７〜１２について）
支持板７〜１２の材質は、全て適度な強度をもつ紙、或は、ポリプロピレン等の合成樹脂、薄い金属の板、ゴム等が採用され、厚さは０．２〜０．５mmのものである。前記したように、断面コノ字型に成形し、収納箱本体６の前壁面５０の背面側に接着剤で固定する。
【００３２】
（二）  支持板７〜１２の作成方法としては、次のようなものを採用してもよい。図１１に示すように、適度な強度を持つ二重の紙できた収納箱本体６３の、一枚目の紙の前面５０に、支持板７〜１２をミシン目で
形を描いておく。そのミシン目に沿って切り出し、上蓋４の上面と収納箱本体６の前壁面５０とが接する辺AA'と、その数mm下の折り線BB'で支持板の基端部をコノ字状に折り曲げ、取出具１を差し込むための懐空間を形成する。
【００３３】
（ホ）  図２に示すように、支持板７〜１２の前面部の寸法をここで記載する。
支持板７    台形  （上辺３０mm、下辺１５mm、高さ３８mm）
支持板８    長方形（幅  １０mm、高さ３８mm）
支持板９    長方形（幅    ５mm、高さ３８mm）
支持板１０  長方形（幅    ５mm、高さ３８mm）
支持板１１  台形  （上辺３０mm、下辺１５mm、高さ３８mm）
支持板１２  長方形（幅  １０mm、高さ３０mm）
ここで、図２に示すように、支持板１２における下端部１３には粘着材を塗布する。
【００３４】
図２に示すように、支持板７〜１２を収納箱６の前壁面５０に装着するには、略等間隔に横幅に沿って取り付けるが、適宜変更が可能である。また、前記したように、中央に位置する支持板１２の高さが重要である。包装用ラップフィルム２の接着した取出具１を手指で摘み易くするために、他の支持板より下端高さを８mmほど高くしてある。
【００３５】
〔別実施の形態〕
（１）取出具１としては、単純な長方形の板である必要はなく、下端部が前方に向けて９０度屈曲する鍔部を設けてもよい。鍔部が包装用ラップフィルム２を引き出す方向に延出されるので、手指で掴み易く引き出し操作が楽である。
【００３６】
（２）  突出部としては、支持板として収納箱本体６と別個に構成したが、収納箱本体６の前壁面５０から上面部と前面部とを一体的に、樹脂等で成形してもよい。
【００３７】
（３）  突出部としての支持板７〜１２としては、個別に形成することとしたが、図５に示すように、背面部と上面部が連続する一枚の板で繋がった支持板２２であってもよい。また、図１２に示すように、各支持板７〜１２の前面部も一部繋がった状態の支持板９０のものに形成してもよい。図１３に示すように、隣同士の支持板７〜１２が繋がって、二組か三組に分割する支持板９１、９２でもよい。図中１３１は、粘着材を塗布した状態を示している。
【００３８】
（４）  伸縮部としては、図１に示すように、蛇腹部５を設けたが、図６に示すように、柔軟性の高い紙、ビニール等の合成樹脂、ゴム、布等の板材２０を使用することができる。この図６においては、収納箱本体６１と符号を付している。
【００３９】
（５）  図７、９、１０に示すように、収納箱本体６２の前壁面７０に突出部がなく、かつ、伸縮部もない上蓋４１を持った収納箱を構成してもよい。ただし、この場合には、収納箱本体６２の前壁面７０の中央位置に、包装用ラップフィルム２の取出先端部が巻き戻らないように、粘着材８１を塗布しておく。図９、１０中の符号３１は刃３の側面を示す。
【００４０】
この場合の操作方法は、次のようになる。つまり、図９に示すように、上蓋４１を開き、包装用ラップフィルム２の取出先端部に取出具１の粘着材８０を密着させ、図１０に示すように、上蓋４１を閉じて上蓋４１の上から粘着材８０部分を押さえて密着性を向上させる。
そして、上蓋４１を再び少し開いて、取出具１を引っ張り操作して、包装用ラップフィルム２を引き出して、図７に示すように、食品等を覆った状態で取出具１を上下向きに切り替えて、収納箱本体６２を捻り操作して、包装用ラップフィルム２を刃３で切断する。
【００４１】
包装を終えた後には、図８に示すように、上蓋４２を開き、包装用ラップフィルム２の取出先端部に取出具１の粘着材８０を塗布した面を重ね置き、この状態で上蓋４２を閉じ姿勢に戻して、取出具１を収納箱に装備させることができる。この上蓋４２は上辺部を取り除いたものである。
【００４２】
（６）  粘着層としては、一般的な粘着材だけでなく、包装用ラップフィルム２の密着できるものであればよく、例えば、互いに接着しやすい包装用ラップフィルム２自体を粘着材として所定位置に貼付けてもよい。
【図面の簡単な説明】
【００４３】
【図１】収納箱から取出具で包装用ラップフィルムを取出す状態を示す斜視図
【図２】支持板の懐空間に取出具を差し込む前の状態を示す斜視図
【図３】支持板の懐空間に取出具を差し込んだ状態を示す斜視図
【図４】突起部として支持板を示す斜視図
【図５】各支持板を背面部と上面部とを連続状に形成した突起部を示す斜視図
【図６】図３において伸縮部を柔軟性の高い部材に交換したものを示す斜視図
【図７】突出部や伸縮部を装備していない収納箱を使用して包装用ラップフィルムを取出す状態を示す斜視図
【図８】図７で包装作業を終えた後に、取出具を収納箱に収納した状態を示す斜視図
【図９】図７における収納箱から取出具で包装用ラップフィルムと取出す前の上蓋を開いた状態を示す側面図
【図１０】図９において、上蓋を閉じた状態を示す斜視図
【図１１】支持板を収納箱本体の前壁面から切り起こす前の状態を示す斜視図
【図１２】突出部としての支持板を一連一体のものとして形成した別実施構造を示す斜視図
【図１３】支持板を二つのもので構成する状態を示す斜視図
【図１４】図６において、取出具下端部が収納箱本体の前壁面より下方にはみ出す程、縦幅の長い取出具を収納する状態を示す斜視図
【符号の説明】
【００４４】
１、１０１                    取出具
２                            包装用ラップフィルム
３                            刃
４、４１、４２                上蓋
５、２０                      蛇腹部（伸縮部）
６、６１〜６３                収納箱本体
７〜１２、２２、９０〜９２  （支持板）突出部
５０、７０                    収納箱の前壁面
８０、８１、１３１            粘着材
【図１】
2010006468.tif 000003
【図２】
2010006468.tif 000004
【図３】
2010006468.tif 000005
【図４】
2010006468.tif 000006
【図５】
2010006468.tif 000007
【図６】
2010006468.tif 000008
【図７】
2010006468.tif 000009
【図８】
2010006468.tif 000010
【図９】
2010006468.tif 000011
【図１０】
2010006468.tif 000012
【図１１】
2010006468.tif 000013
【図１２】
2010006468.tif 000014
【図１３】
2010006468.tif 000015
【図１４】
2010006468.tif 000016